(57)【要約】【課題】こて先に小径のヒータが挿脱自在に挿入された半田ごてで、寿命の到達等により劣化したこて先をヒータに損傷を加えるおそれなく交換できるようにすること。【解決手段】こて先２とヒータ３とを結合手段で結合した上で、その各基部４、５をグリップ部の取付用中空部中に装入することで、半田ごてを使用状態に組み立てる。結合手段を、ヒータ３の基部５の先端円柱部５ｈの周側に突出させた結合突部５ｄと、こて先２の基部４に構成した結合突部５ｄを嵌合させる結合穴４ｈと、こて先２の中空部２ｃの内周に基部４の後端から結合穴４ｈに案内すべく構成した案内溝４ｍとで構成する。案内溝４ｍは、こて先２の基部４の後端から軸方向に延びる部分及びその先端から周方向に延びる部分で構成し、後者の部分の端部で結合穴４ｈに接続する構成とした。【選択図】  図４
2010167485.tif 000002
【特許請求の範囲】
【請求項１】
先端に開口する取付用中空部を有するグリップ部と、基部を該取付用中空部に挿脱自在に装着するヒータと、該ヒータの円柱状加熱部を中空部で外装しつつ基部を取付用中空部に挿脱自在に装着するこて先とからなる半田ごてに於いて、
前記ヒータと前記こて先とに、前記円柱状加熱部を前記中空部で外装した状態で、相互を着脱自在に結合する結合手段を構成し、該結合手段で該ヒータと該こて先とを結合した状態でそれぞれの基部を前記グリップ部の取付用中空部に挿脱自在に装着し得るように構成した半田ごて。
【請求項２】
前記結合手段を、
前記ヒータの基部の内の、前記こて先の中空部に挿入嵌合する先端円柱部の周側に突出させた結合突部と、
前記こて先の基部に構成した前記結合突部を嵌合させる結合穴であって、該ヒータの円柱状加熱部を該こて先の中空部に挿入した場合に該ヒータの基部の先端円柱部が挿入することとなる中空部から該こて先の基部の周側に開口した結合穴、及び該こて先の中空部内周に基部後端から該結合穴に案内すべく構成した案内溝であって、該こて先の軸方向に延びる部分並びに周方向に延びる部分からなり、後者の部分の端部で該結合穴に接続する案内溝と、
で構成した請求項１の半田ごて。
【請求項３】
前記結合手段を、
前記ヒータの基部先端の、円柱状加熱部を配した先端円柱部を挟んでその両側となる位置から該先端円柱部と平行に延長した二つの延長腕及び該二つの延長腕の先端の相互に対面する部位に突出させた係止突起であって、係止面が、これと、該係止突起が突出した部位の面との間の角度が鈍角となる斜面となっている係止突起と、
前記こて先の基部の周側に構成した二つの収納溝及び該二つの収納溝の内端に構成した係止穴であって、該ヒータの円柱状加熱部を該こて先の中空部に挿入した場合に該二つの延長腕がそれぞれ収納状態となる二つの収納溝及び該二つの係止突起がそれぞれ係止状態となる係止穴と、
で構成した請求項１の半田ごて。
【発明の詳細な説明】
【技術分野】
【０００１】
本発明は、小径のこて先を備えた半田ごて、特にこて先に小径のヒータが挿脱自在に挿入されたタイプの半田ごてに関する。
【背景技術】
【０００２】
高密度化の進んだプリント基板の半田付けに際しては、小径のこて先を備えた半田ごての使用頻度が高くなる。それ故、当然、半田ごての小径化の要求があり、これに応じた小径の半田ごてが提供されている。他方、半田ごてのこて先は、使用を繰り返すと、種々の理由により劣化し、その交換の必要が生じる。
【０００３】
このとき、こて先と該こて先を加熱するヒータとが一体に構成されていると、こて先を交換する際には、まだ寿命に達していないヒータも同時に交換することとなり、無駄が多い。多くの場合、こて先の寿命はヒータのそれよりかなり短いので、この無駄は問題となる。
またヒータとこて先が別体に構成されている場合は、こて先が劣化して寿命が到達した場合は、それのみを廃棄することができるので、コスト面で利点がある。
通常、こて先は、グリップ内部から先端方向に向けて延長するヒータに外装状態となっているので、該こて先をグリップから取り外す場合は、該こて先を、その先端部の延長方向に引いてヒータの外周をスライドさせながら引き抜くものとなっている。こて先が小径で、当然、ヒータも小径である場合には、このようにこて先を抜き取る際にヒータに損傷を与える可能性がある問題がある。
【０００４】
こて先をヒータに沿って真っ直ぐに引くことができれば問題は生じないが、こて先は通常グリップ部にある程度固く固定されており、特に引き抜き初めには若干強い力を必要とするため、その際に、ヒータに対してその長さ方向に交差する方向の力を加えてしまう虞がある。しかも、このとき、ヒータはグリップ部に固定されているため、それに応じて対応する方向に自由に動くことはできない。それ故、そのときに、前記のように、該ヒータが小径である場合には力の加わった部分で簡単に折れてしまう虞が生じるわけである。
【０００５】
特許文献１及び２は、こて先とヒータとが一体に構成されている半田ごての例である。いずれもこて先が寿命により劣化した場合には、ヒータごと取り外して交換する必要が生じる。前記のように、コスト的に不都合である。
【０００６】
特許文献３、４、５は、こて先とヒータとが別体に構成されている半田ごての例である。これらの例の場合には、こて先が寿命により劣化した場合には、こて先のみを取り外してその交換をすることができるので、コスト面で有利である。またそれぞれの図面に記載されているように、ヒータの径が、ある程度の太さを有している場合は、前記のように、こて先を抜き取る際に、該ヒータにその長さ方向に交差する若干の力が加わっても容易に損傷を生じないが、これが小径の場合には、容易に折れる等の損傷を生じる虞がある。こて先を高い蓄熱性を備えた、目標温度に制御し易いものにする観点からヒータを囲む筒状の部分の肉厚を十分に確保しようとすると、ヒータは小径のものに構成せざるを得ず、特にこて先そのものを小径に構成する場合には、一層ヒータは小径のものにならざるを得ず、こて先交換の際にはその損傷を一層生じさせ易くすることになるものである。
【０００７】
特許文献６は、こて先とヒータとが別体に構成されたはんだごてに関するものである。これは、はんだごて１の柄２の先端に構成した取付基部３に円筒状のヒータ４を固設し、該ヒータ４の中空部に芯金４２の胴部４２ａを挿入し、先端の頭部４２ｂを該ヒータ４の先端から露出させ、該芯金４２の頭部４２ｂの端面４２ｃにこて先５の後部端面５ｃを当接させた状態で、該芯金４２及びこて先５を、これらを外装する外パイプ６及び該外パイプ６を取付基部３に取り付けるべく該取付基部３に螺合する保持リング７を介して、前記取付基部３に固設してなるものである。
【０００８】
従ってこの特許文献６のはんだごて１によれば、保持リング７を取付基部３から取り外せば、特に大きな力を必要とすることなく、こて先５をヒータ４に配した芯金４２の頭部４２ｂの端面４２ｃから離脱させ得るものであり、こて先５の交換が必要になった場合に、ヒータ４を同時に交換する必要がないのは云うまでもなく、その際にヒータ４の損傷を生じさせる虞も少ないものと思われる。従ってその限りで優れたものであると言うことができる。
【０００９】
しかし、現在のはんだごては、半導体等の温度に対して敏感なはんだ付け対象との関係で、温度コントロールが可能なものである必要があり、そのためには、こて先の温度をリアルタイムで測定する必要がある。こて先の温度を正確に測定するためには、できるだけその先端に近接する部位で測定する必要があり、そのためこて先の先端に近接するいずれかの部位にセンサを取り付ける必要があるが、この特許文献６の構成では、そのようなセンサの取り付け及びリード線の引き回しが容易であるとは思われない。
【００１０】
またこの特許文献６のはんだごて１によれば、こて先５は、芯金４２の頭部４２ｂの端面４２ｃに当接状態になっているものであり、当接部分の面積をできるだけ広くするようにしているとは云っても小径の軸状部分の先端であるから、その広さは微々たるものであり、十分な熱量の伝達を確保できるとは云い難い。更にこて先５を芯金４２の頭部４２ｂの端面４２ｃに固定するために外パイプ６を用いているが、このような用途では、こて先５をしっかりと固定する必要がある関係上、パイプとしてある程度の厚さのそれを採用せざるを得ない。それ故、結果として、こて先は若干径が太くなり、十分な小型化が困難になってしまうものであると云わざるを得ない。
【先行技術文献】
【特許文献】
【００１１】
【特許文献１】特開平１０−２５８３５８号公報
【特許文献２】実開平０２−０５３８７０号公報
【特許文献３】特開平０５−１８５２１９号公報
【特許文献４】特開平１０−２３９１６７号公報
【特許文献５】特開平０７−０４００３７号公報
【特許文献６】特開平１０−３２８８２２号公報
【発明の概要】
【発明が解決しようとする課題】
【００１２】
本発明は、小径のこて先を備えた半田ごて、特にこて先に小径のヒータが挿脱自在に挿入されたタイプの半田ごてであって、寿命の到達等により劣化したこて先をこれに挿入されているヒータに損傷を加えるおそれなく交換することができる半田ごてを提供することを解決の課題とする。
【課題を解決するための手段】
【００１３】
本発明の１は、先端に開口する取付用中空部を有するグリップ部と、基部を該取付用中空部に挿脱自在に装着するヒータと、該ヒータの円柱状加熱部を中空部で外装しつつ基部を該取付用中空部に挿脱自在に装着するこて先とからなる半田ごてに於いて、
前記ヒータと前記こて先とに、前記円柱状加熱部を前記中空部で外装した状態で、相互を着脱自在に結合する結合手段を構成し、該結合手段で該ヒータと該こて先とを結合した状態でそれぞれの基部を前記グリップ部の取付用中空部に挿脱自在に装着し得るように構成した半田ごてである。
【００１４】
本発明の２は、本発明の１の半田ごてに於いて、
前記結合手段を、
前記ヒータの基部の内の、前記こて先の中空部に挿入嵌合する先端円柱部の周側に突出させた結合突部と、
前記こて先の基部に構成した前記結合突部を嵌合させる結合穴であって、該ヒータの円柱状加熱部を該こて先の中空部に挿入した場合に該ヒータの基部の先端円柱部が挿入することとなる中空部から該こて先の基部の周側に開口した結合穴、及び該こて先の中空部内周に基部後端から該結合穴に案内すべく構成した案内溝であって、該こて先の軸方向に延びる部分並びに周方向に延びる部分からなり、後者の部分の端部で該結合穴に接続する案内溝と、
で構成したものである。
【００１５】
本発明の３は、本発明の１の半田ごてに於いて、
前記結合手段を、
前記ヒータの基部先端の、円柱状加熱部を配した先端円柱部を挟んでその両側となる位置から該先端円柱部と平行に延長した二つの延長腕及び該二つの延長腕の先端の相互に対面する部位に突出させた係止突起であって、係止面が、これと、該係止突起が突出した部位の面との間の角度が鈍角となる斜面となっている係止突起と、
前記こて先の基部の周側に構成した二つの収納溝及び該二つの収納溝の内端に構成した係止穴であって、該ヒータの円柱状加熱部を該こて先の中空部に挿入した場合に該二つの延長腕がそれぞれ収納状態となる二つの収納溝及び該二つの係止突起がそれぞれ係止状態となる係止穴と、
で構成したものである。
【発明の効果】
【００１６】
本発明の１の半田ごてによれば、これを小型小径の半田ごてに適用した場合、こて先が使用による摩耗等により劣化した場合に、該こて先のみを交換することが可能であり、かつその際にヒータの小径の円柱状加熱部に損傷を加えるようなおそれもない。またその取り扱いも極めて簡単である。
【００１７】
こて先をグリップ部から取り外す場合は、こて先の基部及び該こて先に内装状態となって結合手段により結合しているヒータの基部を該グリップ部の取付用中空部から同時に抜き取ることになる。
【００１８】
ヒータの基部は、その構成によって異なるが、それ自体のいずれかの部位が取付用中空部の内周のいずれかの部位に係止し、或いは摩擦力その他で内装固定状態になっている他、その基部から後方に突出する電力受給用のコネクタが該取付用中空部内に構成された電力供給用の対応するコネクタに結合状態になっており、またこて先の基部も、その構成によって異なるが、それ自体の側部のいずれかの部位が、同様に、取付用中空部の内周のいずれかの部位に係合し、又は摩擦力その他によって内装固定状態になっている他、その基部の側部のいずれかの部位に構成された、例えば、温度センサのリード線末端の電極、或いは接地線の電極が該取付用中空部の内周から突出する対応するバネ状コンタクトに当接状態となって保持された状態となっている。
【００１９】
従ってこて先を該グリップ部の取付用中空部から抜き取ろうとすると、相応する力を加えて引き抜かなければならない。しかし、前記のように、こて先は、ヒータの円柱状加熱部をその中空部に挿入した状態で、相互の結合手段によってヒータと結合状態となっており、こて先を引くと、その状態で、前記相互のコネクタの結合が解除され、各電極と各バネ状コンタクトとの係合状態が解除され、かつ両基部と取付用中空部の対応する相互の摩擦力等に抗して抜き取られることになる。それ故、ヒータの円柱状加熱部が小径で容易に損傷を生じやすいものであっても、これは、こて先の中空部で保護状態になっているので、この抜き取りの過程で損傷を生じることはない。
【００２０】
こて先とヒータとが、以上の結合手段によって結合されていない場合は、こて先を引き抜こうとすると、こて先のみが抜き取られ、ヒータは、グリップ部の取付用中空部内に、前記のように固定された状態で残された状態になる。前記のように、こて先は、取付用中空部内に固定状態となっており、通常、相応する力で引かなければこれを抜き取ることはできない。それ故、これを引き抜こうとする場合に、こて先を、グリップ部の軸心に沿って常に直線状態に移動させることは実際上困難であり、それに交差する方向に若干の力が加わってしまうことは殆どやむを得ない。ヒータは、前記のように、取付用中空部内に固定されており、それ故、こて先の動きに応じて動くことができないため、その円柱状加熱部に、上記のように、こて先抜き取りの際の、軸心に交差する方向の力が加わってしまうことになる。その結果、このとき、ヒータの円柱状加熱部は高い確率で損傷を生じるおそれが生じることになる。
【００２１】
前記のように、本発明の１の半田ごてによれば、こて先を抜き取る際には、同時にヒータも抜き取ることになるため、以上のような問題は生じない。
そして、このように、こて先をヒータと同時に抜き取った後、結合手段による結合を、その構成に対応する操作で解除して、こて先の中空部からヒータの円柱状加熱部を抜き取る。このときも、こて先とヒータとは、確実に、相互の軸心に沿って直線上に引く操作を行うことは難しいが、この場合は、ヒータもこて先も何にも固定されているわけではないので、相互に他方の動作に対応した動きが可能であり、無理なく引き抜くことが可能となるものである。それ故、円柱状加熱部の損傷を生じるおそれは殆どない。
【００２２】
この後、新しいこて先を用意し、その中空部に、先に引き抜いたヒータの円柱状加熱部を挿入し、相互の結合手段によって相互の結合状態を確保した上で、該こて先とヒータとをグリップ部の取付用中空部にその基部側から挿入する。当然、基部及びグリップ部に付してある相互の位置決め用のマーク等により周方向の向きを適正に向けた上で、その挿入操作を行う。適正な位置まで押し込めば、前記したように、ヒータの基部に配してあるコネクタと対応するグリップ部の取付用中空部内のコネクタとが結合状態になる等の結合固定状態が確保されることになる。このときも、ヒータの円柱状加熱部は、こて先の中空部に挿入状態で保護されているので、云うまでもなく、損傷のおそれはない。
【００２３】
本発明の２の半田ごてによれば、本発明の１の半田ごてと同様に小径の半田ごてに適用した場合、こて先が寿命となった等の理由によりその交換をする際に、ヒータの円柱状加熱部に損傷を生じさせるおそれがなく、その取り扱いも極めて簡単である。
【００２４】
本発明の２の半田ごては、特に、結合手段の構成が簡明であり、その操作も極めて簡単である。
こて先とヒータとの結合は、こて先の中空部に円柱状加熱部を挿入する際に、挿入終了近くになって、ヒータの基部の先端円柱部に突設した結合突部をこて先の基部の後端に開いた案内溝に装入した上で、そのまま押し込み、今度は、押し込み端部で所定の方向に回転させると、その周方向に延びる部分を通じて該結合突部はこて先の基部の結合穴に進入し、相互は結合状態となる。同時に、円柱状加熱部の中空部への挿入も完了する。
【００２５】
この状態で、こて先とヒータとは、相互に周方向逆向きには回転が可能であるが、軸方向には固定状態となる。従って、本発明の１の半田ごてについて説明したのと同様に、グリップ部の取付用中空部への装入及び抜き取りに際し、相互の固定状態は確保されることになる。
【００２６】
こて先とヒータとの結合手段による結合の解除は、こて先とヒータとを、前記結合突部が案内溝の周方向に延びる部分を通じて移動できるように相互に逆向きに回転させ、その後、該結合突部を軸方向に延びる部分を通じて移動させるように、相互を引けば良い。こうして、相互の結合を解除すると共に、こて先とヒータとを分離することができる。
【００２７】
本発明の３の半田ごてによれば、本発明の１又は２の半田ごてと同様に小径の半田ごてに適用した場合に、こて先の交換の際に、ヒータの円柱状加熱部に損傷を生じさせるおそれがなく、その取り扱いも極めて簡単である。
【００２８】
本発明の３の半田ごては、本発明の２の半田ごてと同様に、特に、結合手段の構成が簡明であり、その操作も極めて簡単である。
こて先とヒータとの結合は、こて先の中空部に円柱状加熱部を挿入する際に、ヒータの基部から先端円柱部を挟んで延長する延長腕がこて先の基部の対応する側部に形成した二つの収納溝に入って進出し、円柱状加熱部を該中空部に最後まで押し込み挿入すると、その時点で、延長腕の先端に突出させた係止突起が収納溝の最も奥側である内端の係止穴に係止し、これによって結合が完了することになる。
【００２９】
本発明の３の半田ごてによれば、本発明の１の半田ごてについて説明したのと同様に、この状態で、グリップ部の取付用中空部への装入及び抜き取りに際し、相互の固定状態は確保されることになる。
【００３０】
こて先とヒータとの結合手段による結合の解除は、結合状態のこて先とヒータとを離脱方向に若干強く引くだけで良い。こて先の係止穴に係止している係止突起の係止面は、これと、延長腕の該係止突起側の面との間の角度が鈍角となる斜面に構成されているため、若干強く引くと、係止突起は、該係止穴の係止部分を、該係止面がスライドしつつ移動して、該係止穴から離脱することになる。勿論、これは係止腕が弾力性を有することが前提である。そのままこて先とヒータとを相互が離間する方向に引けば、前者の中空部から後者の円柱状加熱部も離脱することになり、相互の結合が解除されると共に、こて先とヒータとの分離も完了することになる。
【図面の簡単な説明】
【００３１】
【図１】(a)は実施例１の半田ごての正面図、(b)は右側面図、(c)は背面図、(d)は拡大平面図。
【図２】(a)は実施例１の半田ごてのこて先及びヒータの分離状態の正面図、(b)は右側面図、(c)は背面図。
【図３】(a)は実施例１の半田ごてのグリップ部の正面図、(b)は実施例１の半田ごてのヒータと結合した状態のこて先の正面図、(c)は実施例１の半田ごてのグリップ部の右側面図、(d)は実施例１の半田ごてのヒータと結合した状態のこて先の右側面図、(e)は実施例１の半田ごてのグリップ部の背面図、(f)は実施例１の半田ごてのヒータと結合した状態のこて先の背面図。
【図４】(a)は実施例１の半田ごてのヒータの基部付近の拡大右側面図、(b)は拡大背面図、(c)は実施例１の半田ごてのこて先の基部の拡大背面図、(d)は(c)の底面図。
【図５】図３の(a)のＡ−Ａ線断面図。
【図６】(a)は実施例２の半田ごての、結合手段を構成したこて先の基部及びヒータの基部の分離状態の拡大背面図、(b)は結合手段の結合状態の拡大背面図、(c)はこて先の拡大底面図、(d)はヒータの拡大平面図。
【発明を実施するための形態】
【００３２】
発明を実施するための形態を図面を参照しながら実施例に基づいて詳細に説明する。
【００３３】
＜実施例１＞
この実施例１の半田ごては、図１及び図３に示すように、基本的に、グリップ部１と、こて先２と、ヒータ３とからなり、こて先２とヒータ３とを結合状態として、その各基部４、５をグリップ部１の取付用中空部６中に装入することで、使用状態に組み立てることができるものである。
【００３４】
該グリップ部１、こて先２及びヒータ３の殆どの構成は、既存のそれと同様であり、こて先２及びヒータ３に相互の結合手段を構成した点及びグリップ部１の先端部に補助保持具７を構成した点のみが新規事項である。従って、新規事項に関しては詳しく、既存と同様の構成に関しては簡略に説明する。
【００３５】
前記グリップ部１は、図３(a)、(c)、(e)及び図５に示し、かつ前記したように、先端に開口する取付用中空部６を備えている。該取付用中空部６は、同図に示すように、最奥部には、前記ヒータ３の基部５から突出する雌のコネクタ５ｃと接続する雄のコネクタ６ｃが突出状態に構成してあり、内周面には、こて先２の基部４及びヒータ３の基部５が装入された状態で、前者の基部４の正面側下部に構成してある熱電対（温度センサ）２ｓからのリード線の末端の電極４ｓ１、４ｓ１に当接するバネ状コンタクト６ｂ１、６ｂ１及び前者の基部４の背面側の面に構成してある接地線の末端の電極４ｓ２に当接する他のバネ状コンタクト６ｂ２が構成してある。それぞれは、既存の構成であり、いずれもグリップ部１の後端から延びる対応する数のケーブルの各一端に接続している。
【００３６】
また該取付用中空部６は、ヒータ３の長方形板状の基部５の両側に長さ方向に沿って突出させた案内突条５ｐ、５ｐに対応すべく、図５に示すように、その内周の対応する部位に軸方向に沿ってガイド溝６ｍ、６ｍが形成してある。また該取付用中空部６の断面形状は、同図に示すように、ほぼ円形であり、こて先２の基部４の断面形状に対応するものとなっている。
【００３７】
前記こて先２は、基本的な構成は既存のそれと同様である。図２(a)、(b)、(c)及び図３(b)、(d)、(f)に示すように、尖端部２ａ及び前記基部４からなり、尖端部２ａは、目的に応じて種々の形状があり得るが、この実施例１のそれは、円筒状部と最先端のテーパ状部とからなる標準的な形状のものとなっている。またこのこて先２は、基部４の後端部から尖端部２ａの最先端近傍までその軸心に沿って延びる中空部２ｃが形成してあり、前記ヒータ３の円柱状加熱部３ａ及びその後端に接続する先端円柱部５ｈを密着状態に挿入可能になっている。なお、この実施例１では、熱的な応答性をよくする趣旨から尖端部２ａの円筒状部を肉厚としたため、中空部２ｃが自ずと小径になり、これに挿入するヒータ３の円柱状加熱部３ａも当然対応する小径のものとなっている。
【００３８】
該こて先２の尖端部２ａには、図１(a)、(b)、図２(a)、(b)及び図３(b)、(d)に示すように、その最先端のテーパ状部と円筒状部との境界付近に熱電対２ｓの検出端が固定してあり、円筒状部の外周を長さ方向に沿って這わせて基部４の前端まで延長し、該基部４中に進入させた上で、リード線でその正面側最後部に形成した前記電極４ｓ１、４ｓ１に接続させてある。また該こて先２の基部４の背面側には、図２(c)及び図３(f)に示すように、尖端部２ａに接続する接地線の末端に接続する電極４ｓ２が構成してある。
【００３９】
該こて先２の基部４は、尖端部２ａより僅かに大径の概ね円柱状に構成してあり、前記のように、電極４ｓ１、４ｓ１及び４ｓ２が構成してある。更に、特に図４(c)、(d)に示すように、結合手段の一部をなす結合穴４ｈと案内溝４ｍとが形成してある。
【００４０】
前記結合穴４ｈは、図２(a)、(b)、(c)及び図４(c)、(d)に示すように、こて先２の基部４の背面側で、その後端と接地線に接続した電極４ｓ２の後端との中間付近に開口してあるものである。また該結合穴４ｈは前記中空部２ｃに連通するように開口してある。
【００４１】
前記案内溝４ｍは、同図に示すように、該基部４の後端から軸方向に延びる部分及び周方向に延びる部分からなり、後者の末端で該結合穴４ｈに接続するようになっている。該案内溝４ｍの軸方向に延びる部分は、特に図４(d)に示すように、背面側に開口した該結合穴４ｈの軸心に対して概ね４５度ほど周方向を側面側に移動した位置を中心として後記結合突部５ｄが余裕を持って通過できる幅に形成してある。該案内溝４ｍの周方向に延びる部分は、該軸方向に延びる部分の先端、即ち、該結合穴４ｈの周方向約４５度の角度間隔の位置から該結合穴４ｈに接続すべくこれに向かって延びるものであり、当然、軸方向に延びる部分とほぼ同幅に形成してある。両者の接続部分は弧を描いて曲がるように構成してある。
【００４２】
前記ヒータ３は、基本的な構成は、こて先２と同様に、既存のそれと同様である。図２(a)、(b)、(c)に示すように、基本的に、先端側に長く延びる円柱状加熱部３ａ及びその後部の基部５からなり、該円柱状加熱部３ａの径及び長さは、こて先２の中空部２ｃに対応し、これに密着状態に挿入可能な寸法に構成してある。基部５は、主たる構成が長方形板状であり、その両側には長さ方向に沿って案内突条５ｐ、５ｐを形成してある。またその従たる構成は、後述する先端円柱部５ｈである。前記案内突条５ｐ、５ｐは、先に述べたように、前記グリップ部１の取付用中空部６のガイド溝６ｍ、６ｍにスライド自在に嵌合できるようになっている。また該基部５の後端には円柱状加熱部３ａの電力受給用の雌のコネクタ５ｃが構成してある。この雌のコネクタ５ｃは、云うまでもなく、前記グリップ部１の取付用中空部６の最奥部に配してある雄のコネクタ６ｃに接続するようになっているものである。
【００４３】
該基部５は、図２(a)、(b)、(c)及び図４(a)、(b)に示すように、円柱状加熱部３ａの後端を支持すべく、その長方形板状部の先端中央に、該円柱状加熱部３ａより僅かに径の大きな先端円柱部５ｈを構成してある。前記こて先２の中空部２ｃには、この先端円柱部５ｈまでが挿入状態となる。該中空部２ｃの後部は、云うまでもなく、対応する寸法の径となっている。そして、該先端円柱部５ｈの先端周側には、前記結合突部５ｄを突出させてある。この結合突部５ｄは、該先端円柱部５ｈの周側に、基部５の背面側の中央になる位置関係で突設する。また該結合突部５ｄは、前記こて先２の基部４に構成した結合穴４ｈ及び案内溝４ｍに嵌合又は通過可能な寸法に構成するものである。
【００４４】
前記補助保持具７は、図１(a)、(b)、(c)及び図３(a)、(c)、(e)に示すように、針金状部材を折り曲げて構成した部材である。該補助保持具７は、詳細には、その両端をグリップ部１の最先端の周方向１８０度の角度間隔の位置に開口した二つの軸孔に回動自在に装入した部材であり、その中間部分には、これを引き起こした場合に、該グリップ部１に取り付けたこて先２の尖端部２ａの内、基部４先端の放熱部２ｈの直上部分に係止する凹部７ａ及びその背後の摘み７ｂを構成したものである。これによって、基部４をグリップ部１の取付用中空部６中に装入したこて先２を確実にその状態に保持しようとする趣旨のものである。もっともこれが無くてもこて先２が抜ける可能性は極めて低い。
【００４５】
従ってこの実施例１の半田ごてによれば、こて先２が使用による摩耗等により劣化した場合には、該こて先２のみを交換することが可能であって、経済的であり、かつその際にヒータ３の小径の円柱状加熱部３ａに損傷を加えるようなおそれもない。またその交換操作も、こて先２とヒータ３の一体としてのグリップ部１からの抜き取り、こて先２からのヒータ３の抜き取り、次いで、新しいこて先２への今抜き取ったヒータ３の挿入、こて先２とヒータ３とを一体とした状態でのグリップ部１への挿入、と云うように、こて先２の抜き取り及び装着操作共に二段階になるが、いずれも極めて簡単で短時間でできる操作であり、不都合は全くない。
【００４６】
こて先２をグリップ部１から取り外す場合は、まず補助保持具７を、図１(b)に二点鎖線で示すように、外側に倒した上で、こて先２の基部４及び該こて先２の中空部２ｃにその円柱状加熱部３ａが挿入状態となって結合しているヒータ３の基部５を該グリップ部１の取付用中空部６から同時に抜き取る。
【００４７】
図１(a)、(b)、(c)、(d)に示すように、グリップ部１にヒータ３と共にこて先２が装着状態になっている状態では、ヒータ３の基部５は、その両側の案内突条５ｐ、５ｐが、グリップ部１の取付用中空部６の対応する両側の部位に形成してあるガイド溝６ｍ、６ｍに係合状態となり、該基部５から後方に突出する電力受給用の雌のコネクタ５ｃが、該取付用中空部６の最奥部に配してある雄のコネクタ６ｃに接続状態となって固定されている。またこて先２の基部４も、それ自体の周側部が取付用中空部６の内周に摩擦力等によって内装固定状態になっており、更に該基部４の正面側に配した電極４ｓ１、４ｓ１には、取付用中空部６から突出するバネ状コンタクト６ｂ１、６ｂ１が弾力的に当接し、該基部４の背面側に配した電極４ｓ２には取付用中空部６から突出した他のバネ状コンタクト６ｂ２が同様に弾力的に当接し、該基部４は保持された状態となっている。
【００４８】
そのためこて先２の基部４を該グリップ部２の取付用中空部６から抜き取ろうとすると、相応する力を加えて引き抜かなければならない。前記のように、こて先２は、ヒータ３の円柱状加熱部３ａをその中空部２ｃに挿入した状態で、前者の基部４の結合穴４ｈに後者の基部５の結合突部５ｄが、図３(b)、(d)、(f)に示すように、嵌合し、それによってヒータ３と結合状態となっており、このこて先２を引くと、その状態で、グリップ部１の取付用中空部６内では、前記相互の雌と雄のコネクタ５ｃ、６ｃの結合が解除され、前記電極４ｓ１、４ｓ１とバネ状コンタクト６ｂ１、６ｂ１及び前記電極４ｓ２とバネ状コンタクト６ｂ２との係合状態が解除され、かつヒータ３の基部５の案内突条５ｐ、５ｐと取付用中空部６のガイド溝６ｍ、６ｍとの摩擦力による係合状態、こて先２の基部４の周側部と取付用中空部６の内周面との摩擦力による係合状態が解除されて、スライド移動しながら抜き取られることになる。
【００４９】
このように、こて先２を抜き取る際には、、ヒータ３の円柱状加熱部３ａが小径で容易に損傷を生じ易いものであっても、これは、こて先２の中空部２ｃで保護状態になっているので、この抜き取りの過程で損傷を生じることはない。
【００５０】
こて先２とヒータ３とが、前記結合穴４ｈと結合突部５ｄとによって結合されていない場合は、前記したように、こて先２を引き抜こうとすると、こて先２のみが抜き取られ、ヒータ３は、グリップ部１の取付用中空部６内に固定された状態で残されることになる。それ故、こて先２の抜き取りの過程でその円柱状加熱部３ａに加わる無用な横方向の力を逃がすことができず、そのままその力を受けて高い確率で円柱状加熱部３ａに損傷を生じさせることになる問題がある。しかし、前記のように、この実施例１の半田ごてによれば、こて先２を抜き取る際には、同時にヒータ３も抜き取ることになるため、以上のような問題は生じない。
【００５１】
こて先２をヒータ３と共にグリップ部１の取付用中空部６から抜き取った後は、ヒータ３の基部５を掴んで、こて先２に対して約４５度程度、右回転させ、その上で、円柱状加熱部３ａをこて先２から離脱する方向に引くと、以上の操作で、前記結合突部５ｄが結合穴４ｈから離脱し、案内溝４ｍの周方向及び軸方向に延びる部分を通過して、こて先２から離脱することになるため、容易にヒータ３の円柱状加熱部３ａをこて先２の中空部２ｃから抜き取ることができる。
【００５２】
このときも、前記したように、こて先２とヒータ３とは、相互の軸心に沿って直線上に沿って引く操作をすることは難しいが、この場合は、ヒータ３もこて先２も何にも固定されているわけではないので、相互に他方の動作に対応した動きが可能であり、無理なく引き抜くことが可能であり、円柱状加熱部３ａに損傷を生じさせるおそれは殆どない。
【００５３】
この後は、新しいこて先２を用意し、その中空部２ｃに今引き抜いたヒータ３の円柱状加熱部３ａを挿入する。この挿入は、ヒータ３の結合突部５ｄをこて先２の基部４の結合穴４ｈに対して周方向約４５度程右側に回転させた位置に位置させた状態で行う。勿論、円柱状加熱部３ａの挿入当初からそうする必要はない。遅くともヒータ３の基部５の先端円柱部５ｈがこて先２の中空部２ｃに進入しようとする時点では、そのようにして該先端円柱部５ｈの先端外周に突出させた結合突部５ｄを前記案内溝４ｍに進入させて押し込み、該案内溝４ｍの軸方向に延びる部分の最奥端に衝突したところで左側に回転させ、周方向に延びる部分を通過させ、結合穴４ｈに装入させ、これに嵌合状態にする。
【００５４】
このようにしてこて先２とヒータ３とを仮固定状態にした上で、こて先２とヒータ３との基部４、５をグリップ部１の取付用中空部６に挿入する。このとき、ヒータ３の基部５及びグリップ部１の先端に付してある位置決め用の山形マークにより相互の周方向の向きを適正に対応させた上で挿入すると、ヒータ３の基部５の案内突条５ｐ、５ｐが取付中空部６のガイド溝６ｍ、６ｍにスライド自在に係合し、こて先２の基部４も同様に取付中空部６の内周にスライド自在に係合することになり、該基部４、５を適正な深さまで押し込めば、前記したように、ヒータ３の雌のコネクタ５ｃと対応するグリップ部１の取付用中空部６内の雄のコネクタ６ｃとが嵌合結合状態になり、こて先２の基部４に配した電極４ｓ１、４ｓ１には取付用中空部６内に突出するバネ状コンタクト６ｂ１、６ｂ１が弾力的に当接し、該基部４の他の電極４ｓ２には、取付用中空部６内に突出する他のバネ状コンタクト６ｂ２が弾力的に当接することになる。こうしてグリップ部１の取付用中空部６へのこて先２及びヒータ３の両基部４、５の装入操作は完了である。
【００５５】
この操作中も、ヒータ３の円柱状加熱部３ａは、こて先２の中空部２ｃに挿入状態で保護されているので、云うまでもなく、損傷のおそれはない。
【００５６】
最後に、前記補助保持具７を起こして、図１(a)、(b)、(c)に実線で示すように、その凹部７ａでこて先２の抜け止めをすれば、装入状態の保持操作も完了である。
【００５７】
＜実施例２＞
実施例２の半田ごては、実施例１の半田ごてと殆ど同一であり、異なるのは、両者の結合手段のみである。実施例１の結合穴４ｈ、案内溝４ｍ及び結合突部５ｄに代えて二本の延長腕１５ａ、１５ａ、その先端の係止突起１５ｔ、１５ｔ、二つの収納溝１４ｇ、１４ｇ及びその先端の係止穴１４ｋ、１４ｋを設けたものである。実施例１の半田ごてと異なるのは、以上の点だけであるので、それらに関してのみ説明する。同一部位は実施例１と同一の符号を用いる。
【００５８】
前記延長腕１５ａ、１５ａは、図６(a)、(b)、(d)に示すように、前記ヒータ３の基部５の先端円柱部５ｈを挟むその両側の位置から延長したものである。該二つの延長腕１５ａ、１５ａは、同図に示すように、該先端円柱部５ｈに平行に延長し、その先端の相互に対面する面に各々前記係止突起１５ｔ、１５ｔを突出させる。該係止突起１５ｔ、１５ｔは、該延長腕１５ａ、１５ａの先端面と反対側の面、即ち、前記係止穴１４ｋ、１４ｋの周縁と係止することになる係止面を該延長腕１５ａ、１５ａの該係止突起１５ｔ、１５ｔを突出させた側の面との間の角度が鈍角となる斜面に構成したものである。係止穴１４ｋ、１４ｋとの係合状態を離脱可能なものにする趣旨である。該係止突起１５ｔ、１５ｔの他の三面は該延長腕１５ａ、１５ａから直線的に延長したものとし、先端は該延長腕１５ａ、１５ａと平行な面とする。
【００５９】
なお、該延長腕１５ａ、１５ａは、弾力性を有する部材で構成する必要がある。この実施例２では、該延長腕１５ａ、１５ａは、ヒータ３の基部５に一体に構成するものであるから、該基部５を構成する部材を弾力性を有するものとする必要があり、この実施例２では、弾力性を有する合成樹脂で構成するものとした。
【００６０】
前記二つの収納溝１４ｇ、１４ｇは、図６(a)、(b)、(c)に示すように、ヒータ３の円柱状加熱部３ａを適正な周方向の向きでこて先２の中空部２ｃに挿入した場合に、前記延長腕１５ａ、１５ａの配される位置に対応させて、こて先２の基部４の両側（１８０度の角度間隔の両方の位置）にその長さ方向に沿って対応する長さ、深さ及び幅に構成する。
【００６１】
また前記係止穴１４ｋ、１４ｋは、該収納溝１４ｇ、１４ｇの先端部で、該基部４の軸心側に向かう深さ方向（軸心と交差する方向）に向けて形成する。該係止穴１４ｋ、１４ｋは、内部に形成してある中空部２ｃにまで貫通する穴とする。この係止穴１４ｋ、１４ｋの周縁の内、基部４の後端側に対応する部分は、図６(a)、(b)に示すように、前記係止突起１５ｔ、１５ｔの対応する面である係止面に対応する傾斜を持ったものに構成する。
【００６２】
従ってこの実施例２の半田ごてによれば、実施例１の半田ごてと同様に、こて先２に使用による摩耗その他による劣化が生じた場合に、こて先２のみの交換が可能であって、極めて経済的であると共に、こて先２の交換の際に、ヒータ３の円柱状加熱部３ａに損傷を生じさせるおそれがなく、その取り扱いも同様に極めて簡単である。
【００６３】
こて先２とヒータ３との結合は、こて先２の中空部２ｃに円柱状加熱部３ａを挿入する際に、周方向の向きを相互に一致させれば、後者の基部５から先端円柱部５ｈを挟んで延長する延長腕１５ａ、１５ａが前者の基部４の対応する側部に形成した二つの収納溝１４ｇ、１４ｇ中に進入して進行し、円柱状加熱部３ａを該中空部２ｃに最後まで押し込み挿入すると、その時点で、該延長腕１５ａ、１５ａの先端に突出させた係止突起１５ｔ、１５ｔが収納溝１４ｇ、１４ｇの最も奥側である内端の係止穴１４ｋ、１４ｋに落ち込んで、これに係止し、こうしてこて先２とヒータ３との相互の結合が完了することになる。
【００６４】
そのため、この実施例２の半田ごてによれば、以上の状態で、実施例１の半田ごてについて説明したのと同様に、グリップ部１の取付用中空部６へのそれらの基部４、５の装入及び抜き取りに際し、こて先２とヒータ３の相互の固定状態は確保されることになる。
【００６５】
こて先２とヒータ３との係止穴１４ｋ、１４ｋと係止突起１５ｔ、１５ｔによる結合の解除は、結合状態のこて先２とヒータ３とを離脱方向に強く引くだけでできる。こて先２の基部４の係止穴１４ｋ、１４ｋに係止している係止突起１５ｔ、１５ｔの係止面は、これと、延長腕１５ａ、１５ａの該係止突起１５ｔ、１５ｔを突出させている面との間の角度が鈍角になる斜面に構成してあり、かつ係止穴１４ｋ、１４ｋの対応する周縁部も同様な角度に形成してあり、更に延長腕１５ａ、１５ａが弾力性ある部材で構成されているため、こて先２の尖端部２ａ及びヒータ３の基部５を掴んで、相互を離間させる方向に強く引けば、係止突起１５ｔ、１５ｔは、該係止穴１４ｋ、１４ｋの係止部分である周縁部上をスライドしながら移動して、該係止穴１４ｋ、１４ｋから離脱することになる。そのままこて先２とヒータ３とを相互が離間する方向に引き続ければ、こて先２の中空部２ｃからヒータ３の円柱状加熱部３ａも離脱することになり、相互の結合が解除されると共に、こて先２とヒータ３との分離も完了させることができることになる。
【００６６】
こて先２及びヒータ３のグリップ部１の取付用中空部６への装着及び離脱その他の操作は、全て実施例１と同様に行うことができる。
【符号の説明】
【００６７】
１    グリップ部
２    こて先
２ａ  尖端部
２ｃ  中空部
２ｈ  放熱部
２ｓ  熱電対（温度センサ）
３    ヒータ
３ａ  円柱状加熱部
４    こて先の基部
４ｈ  結合穴
４ｍ  案内溝
４ｓ１、４ｓ２  電極
５    ヒータの基部
５ｃ  雌のコネクタ
５ｈ  先端円柱部
５ｄ  結合突部
５ｐ  案内突条
６    取付用中空部
６ｂ１、６ｂ２  バネ状コンタクト
６ｃ  雄のコネクタ
６ｍ  ガイド溝
７    補助保持具
７ａ  凹部
７ｂ  摘み
１４ｇ  収納溝
１４ｋ  係止穴
１５ａ  延長腕
１５ｔ  係止突起
【図１】
2010167485.tif 000003
【図２】
2010167485.tif 000004
【図３】
2010167485.tif 000005
【図４】
2010167485.tif 000006
【図５】
2010167485.tif 000007
【図６】
2010167485.tif 000008